(57)【要約】【課題】本発明は、容易に電圧切り換えを行えるプラグイン端子配線用遮断器の端子構造を提供することを最も主要な特徴とする。【解決手段】本発明のプラグイン端子配線用遮断器の端子構造は、少なくとも二つの端子を配置させ、片方を電気的接続をしないダミー端子３ａとした可動端子ユニット２を、プラグイン端子配線用遮断器１の短手側の側面に回動可能に取り付け、可動端子ユニット２に隣接して固定端子５を設けたため、端子ユニット２を１８０度回転させるだけで容易に電圧の切り換えが行えることを特徴とする。【選択図】図２
2006012482.tif 000002
【特許請求の範囲】
【請求項１】
分電盤に搭載されるプラグイン端子配線用遮断器の端子構造であって、少なくとも二つの端子を配置させ、片方を電気的接続をしないダミー端子とした可動端子ユニットを、前記プラグイン端子配線用遮断器の短手側の側面に回動可能に取り付け、前記可動端子ユニットに隣接して固定端子を設けたことを特徴とするプラグイン端子配線用遮断器の端子構造。
【請求項２】
前記プラグイン端子配線用遮断器の端子構造であって、前記可動端子ユニットに設けられた端子を水平に配置すると共に、前記固定端子を垂直に配置することを特徴とする請求項１に記載のプラグイン端子配線用遮断器の端子構造。
【発明の詳細な説明】
【技術分野】
【０００１】
本発明は、分電盤に搭載されるプラグイン端子配線用遮断器の端子構造に関するものである。
【背景技術】
【０００２】
従来技術におけるプラグイン端子配線用遮断器では、可動端子は上下にスライド移動可能に設けられ、可動端子を下側に押し込んで位置を変え、電圧切り換えをするものであった。
【０００３】
しかしながら、上記プラグイン端子配線用遮断器では、省スペースであるが、２００Ｖに設定した場合の絶縁距離が１００Ｖに設定した場合の絶縁距離に比べて小さくなり、十分な絶縁距離がとれているとは言え、可能な限り端子を離しておきたいという要望があった。
【０００４】
そこで、プラグイン端子配線用遮断器の可動端子を１８０度回転させて２００Ｖと１００Ｖとの設定を変更することができる。
【特許文献１】特開２０００−２２２９９７号公報
【特許文献２】特開２００２−１９９５１４号公報
【発明の開示】
【発明が解決しようとする課題】
【０００５】
特開２００２−１９９５１４号では、可動端子を１８０度回転させて電圧の変更を行うため、１００Ｖの場合に比べて２００Ｖの場合には絶縁距離が大きく取れるが、端子部に可動端子を回転させるだけのスペースが必要となり、端子部が大きくなるという欠点がある。
【課題を解決するための手段】
【０００６】
本発明は、容易に電圧切り換えを行えるプラグイン端子配線用遮断器の端子構造を提供することを最も主要な特徴とする。
【発明の効果】
【０００７】
本発明のプラグイン端子配線用遮断器の端子構造は、少なくとも二つの端子を配置させ、片方を電気的接続をしないダミー端子とした可動端子ユニットを、プラグイン端子配線用遮断器の短手側の側面に回動可能に取り付け、可動端子ユニットに隣接して固定端子を設けたため、端子ユニットを１８０度回転させるだけで容易に電圧の切り換えが行える。
【０００８】
また、可動端子ユニットに設けられた端子を水平に配置すると共に、前記固定端子を垂直に配置するため、配線用遮断器を取り付けたときのがたつきをなくすことができる。
【発明を実施するための最良の形態】
【０００９】
電圧の切り換えを容易に行うという目的を、電気的に接続のない主幹銅バーも含めてすべての主幹銅バーについて劣化防止しながら実現した。
【実施例１】
【００１０】
本発明に係るプラグイン端子配線用遮断器の端子構造を図１〜図４の添付図面に基づいて説明する。
【００１１】
プラグイン端子配線用遮断器１の端子はユニット構造とする。可動端子ユニット２には少なくとも二つの端子３ａ、３ｂを配置させ、配線用遮断器１の短手側の側面に回転軸４を中心に回転可能に取り付ける。二つの端子３ａ、３ｂの内、一つは電気的接続のないダミー端子３ａとする。
【００１２】
可動端子ユニット２に隣接するところに固定端子５を設ける。可動端子ユニット２が回転するときに、差し障りのないように、可動端子ユニット２の端子３が設けられている面より下がった、可動端子ユニット２が取り付けられる面と同一の面などに設ける。主幹銅バー６ａ、６ｂ、６ｃを端子３ａ、５、３ｂにそれぞれ差し込み接続する。この時、ダミー端子３ａが上方にある場合には、下方の端子３ｂと主幹銅バー６ｂ、固定端子５と主幹銅バー６ｃが電気的に接続され、２００Ｖの電圧がとれる。
【００１３】
また、１００Ｖ電圧に切り替える場合には、可動端子ユニット２を回転軸を中心に１８０度回転させ、ダミー端子３ａを下方に移動する。上方に移動した端子３ｂと主幹銅バー６ａ、固定端子５と主幹銅バー６ｃが電気的に接続され、１００Ｖの電圧に切り替えられる。
【００１４】
主幹銅バー６は電気的接続に関わりなく、配線用遮断器１の端子３、５に接続され、十分な絶縁距離が確保できると共に、主幹銅バー６の劣化防止となる。
【００１５】
固定端子５は、可動端子ユニット２の近接部は、固定端子５が下がった面に設けられて空間となるため、主幹銅バーの放熱効果が期待できる。
【実施例２】
【００１６】
図１にに示すように、可動端子ユニット２に設けられる二の端子３ａ、３ｂは水平に配置し、固定端子５は垂直に配置する。これら端子３、５に対向し、主幹銅バーは、二本を水平６ａ、６ｂに、一本は垂直６ｃに配置している。端子３ａ、３ｂ、５にそれぞれ主幹銅バー６ａ、６ｂを差し込み、接続する。固定端子６が垂直に配置されるので、主幹銅バー６ｃが接続されたときに、側面からも配線用遮断器が支持される形となり、がたつきを抑え安定して分電盤に取り付けることができる。
【実施例３】
【００１７】
端子の方向は図１に示すように、可動端子ユニット２に設けられる端子３ａ、３ｂは水平に、固定端子５は垂直に限定されるものではなく、図４に示すように、可動端子ユニット７には垂直の端子８ａ、８ｂを、固定端子９は水平に設けても良い。その際には端子８、９に対向させて主幹銅バー１０ａ、１０ｂを垂直に、主幹銅バー１０ｃを水平に配置する。
【産業上の利用可能性】
【００１８】
本発明に係るプラグイン端子配線用遮断器は、端子部を回転により可動とし、上下二つある端子のうち一つを電気的接続のないダミー端子としたことで、電圧切り換えは可動端子部を１８０度回転させてどちらか一方の端子で電気的接続を切断する方法で行い、多くの配線用遮断器の電圧の切り換えが必要な場合など作業時間を短縮したいという場合にも適している。
【図面の簡単な説明】
【００１９】
【図１】本発明に係るプラグイン端子配線用遮断器を示す上面図である。
【図２】本発明に係るプラグイン端子配線用遮断器を示す側面図である。（実施例１、実施例２）
【図３】本発明に係るプラグイン端子配線用遮断器を示す側面図である。（実施例１、実施例２）
【図４】本発明に係るプラグイン端子配線用遮断器を示す側面図である。（実施例３）
【符号の説明】
【００２０】
１      プラグイン端子配線用遮断器
２      可動端子ユニット
３      端子
３ａ    ダミー端子
３ｂ    端子
４      回転軸
５      固定端子
６      主幹銅バー
６ａ    水平主幹銅バー
６ｂ    水平主幹銅バー
６ｃ    垂直主幹銅バー
７      可動端子ユニット
８ａ    ダミー端子
８ｂ    端子
９      固定端子
１０    主幹銅バー
１０ａ  垂直主幹銅バー
１０ｂ  垂直主幹銅バー
１０ｃ  水平主幹銅バー
【図１】
2006012482.tif 000003
【図２】
2006012482.tif 000004
【図３】
2006012482.tif 000005
【図４】
2006012482.tif 000006